(57)【要約】【課題】  給紙トレイへの用紙の誤セットがあっても正確な用紙情報(用紙サイズ情報、紙種情報)を把握し、正確な印刷制御を行うことができる画像形成装置を提供する。【解決手段】  ホスト２０と様々な印刷情報や設定情報を通信することができるコントローラ２と、各種設定操作および装置情報を表示することができるパネル１と、コントローラ２から送られるデータを用紙に印刷出力することができ複数段の給紙トレイ４を有するエンジンユニット３とを備えた画像形成装置１０において、各給紙トレイ４に対応してバーコードリーダー５を設け、給紙トレイ４に収容された、用紙情報が予め自身の隅にバーコード印刷してある用紙６をバーコードリーダー５により読み取ることで、コントローラ２は１枚単位での用紙情報認識を行う。【選択図】  図１
2005169630.tif 000002
【特許請求の範囲】
【請求項１】
ホストと様々な印刷情報や設定情報を通信することができるコントローラと、各種設定操作および装置情報を表示することができるパネルと、前記コントローラから送られるデータを用紙に印刷出力することができ複数段の給紙トレイを有するエンジンユニットとを備えた画像形成装置において、
前記各給紙トレイに対応してバーコードリーダーを設け、給紙トレイに収容された、用紙情報が予め自身の隅にバーコード印刷してある用紙をバーコードリーダーにより読み取ることで、コントローラは１枚単位での用紙情報認識を行うことを特徴とする画像形成装置。
【請求項２】
請求項１記載の画像形成装置において、前記用紙情報とは、用紙サイズ情報、紙種情報であることを特徴とする画像形成装置。
【請求項３】
請求項２記載の画像形成装置において、前記コントローラは、認識した用紙情報の少なくとも１つを、パネルに表示させることを特徴とする画像形成装置。
【請求項４】
請求項２記載の画像形成装置において、前記コントローラは、認識した用紙情報の少なくとも１つを、ホストのディスプレイで表示すべく、ホストに送出することを特徴とする画像形成装置。
【発明の詳細な説明】
【技術分野】
【０００１】
本発明は、画像形成装置に関し、特に用紙情報(用紙サイズ情報、紙種情報)識別技術に特徴のある画像形成装置に関するものである。
【背景技術】
【０００２】
例えば、特許文献１では、プリント用紙に付けられたバーコード情報を読み取り、用紙サイズや用紙の性状（紙種）に関する情報を取得し、取得した情報に基づき印刷制御されるプリンタ装置が開示されている。
また、特許文献２では、転写紙に印刷されたバーコードから読み取られた転写紙の物性情報から、推測されるサービス周期やブレードの清掃時期についての情報を表示板に表示することが開示されている。
また、特許文献３では、画像形成装置にて得られた情報をネットワークを介して接続されたホストに送信表示する技術が開示されている。
【特許文献１】特開平０８−０７２２８６号公報
【特許文献２】特開平０６−２０２４２２号公報
【特許文献３】特開平０８−１８６６７７号公報
【発明の開示】
【発明が解決しようとする課題】
【０００３】
上述したような従来技術にあっては、プリント用紙に付けられたバーコード情報を読み取り、用紙サイズや用紙の性状（紙種）に関する情報を取得し、取得した情報に基づき印刷制御されるプリンタ装置が開示されているが、１枚単位の用紙情報把握でないため、１つの給紙トレイ内に他の種類の用紙が混在した場合、正確な印刷制御が行われないという問題があった。
本発明は、給紙トレイへの用紙の誤セットがあっても正確な用紙情報(用紙サイズ情報、紙種情報)を把握し、正確な印刷制御を行うことができる画像形成装置を提供することを目的とする。
【課題を解決するための手段】
【０００４】
上記目的を達成するために、請求項１記載の発明は、ホストと様々な印刷情報や設定情報を通信することができるコントローラと、各種設定操作および装置情報を表示することができるパネルと、コントローラから送られるデータを用紙に印刷出力することができ複数段の給紙トレイを有するエンジンユニットとを備えた画像形成装置において、各給紙トレイに対応してバーコードリーダーを設け、給紙トレイに収容された、用紙情報が予め自身の隅にバーコード印刷してある用紙をバーコードリーダーにより読み取ることで、コントローラは１枚単位での用紙情報認識を行う画像形成装置を最も主要な特徴とする。
請求項２記載の発明は、請求項１記載の画像形成装置において、用紙情報とは、用紙サイズ情報、紙種情報である画像形成装置を主要な特徴とする。
請求項３記載の発明は、請求項２記載の画像形成装置において、コントローラは、認識した用紙情報の少なくとも１つを、パネルに表示させる画像形成装置を主要な特徴とする。
請求項４記載の発明は、請求項２記載の画像形成装置において、コントローラは、認識した用紙情報の少なくとも１つを、ホストのディスプレイで表示すべく、ホストに送出する画像形成装置を主要な特徴とする。
【発明の効果】
【０００５】
本発明によれば、ホストと様々な印刷情報や設定情報を通信することができるコントローラと、各種設定操作および装置情報を表示することができるパネルと、コントローラから送られるデータを紙に印刷出力することができ複数段の給紙トレイを有するエンジンユニットとを備えた画像形成装置において、各給紙トレイに対応してバーコードリーダーを設け、給紙トレイに収容された、用紙情報が予め自身の隅にバーコード印刷してある用紙をバーコードリーダーにより読み取ることで、コントローラは１枚単位での用紙情報認識を行うので、正確な印刷制御を行うことができる画像形成装置を提供することができる。
【発明を実施するための最良の形態】
【０００６】
以下、図面を参照して本発明の実施形態を詳細に説明する。
図１は本発明の実施の形態に係る画像形成装置の構成図である。本画像形成装置１０は上位装置であるホスト２０と接続されている。
画像形成装置１０は、パネル１、コントローラ２、エンジンユニット３を備える。エンジンユニット３は、３段の給紙トレイ４(４−１、４−２、４−３)と、各給紙トレイ４に対応したバーコードリーダー５(５−１、５−２、５−３)を有する。各給紙トレイ４に収容される用紙６(６−１、６−２、６−３)の隅部にはバーコード部７(７−１、７−２、７−３)が印刷されている。
【実施例１】
【０００７】
実施例１では、用紙サイズ情報を示すバーコード部７を有する用紙６が各給紙トレイ４に補給される。各給紙トレイ４に付属しているバーコードリーダー５は、各給紙トレイ４から次に給紙を行う最上面に位置する用紙６のバーコード部７を給紙前に順次スキャンし、その用紙サイズ情報をコントローラ２へ通知することにより、従来のトレイ単位ではなく用紙１枚単位の確実な用紙サイズ検知を実現する。
【実施例２】
【０００８】
実施例２では、バーコード部７が意味する情報に、各用紙６の紙種情報も含むことにより、従来のトレイ単位ではなく用紙１枚単位の確実な紙種検知を実現する。
【実施例３】
【０００９】
実施例３では、各給紙トレイ４内の用紙６のバーコード部７は、バーコードリーダー５によりに給紙前に順次スキャンされ、その情報はコントローラ２へ通知されるため、パネル１にはコントローラ２により、各給紙トレイ４内の次に給紙される用紙７の紙サイズ情報がタイムリーに表示される。
【実施例４】
【００１０】
実施例４では、各給紙トレイ４内の用紙６のバーコード部７は、バーコードリーダー５によりに給紙前に順次スキャンされ、その情報はコントローラ２へ通知されるため、パネル１にはコントローラ２により、各給紙トレイ４内の次に給紙される用紙７の紙種情報がタイムリーに表示される。
【実施例５】
【００１１】
実施例５では、各給紙トレイ４内の用紙６のバーコード部７は、バーコードリーダー５によりに給紙前に順次スキャンされ、その情報はコントローラ２へ通知されるため、ホスト２０の表示部にはコントローラ２により、各給紙トレイ４内の次に給紙される用紙７の紙サイズ情報がタイムリーに表示される。
【実施例６】
【００１２】
実施例６では、各給紙トレイ４内の用紙６のバーコード部７は、バーコードリーダー５によりに給紙前に順次スキャンされ、その情報はコントローラ２へ通知されるため、ホスト２０の表示部にはコントローラ２により、各給紙トレイ４内の次に給紙される用紙７の紙種情報がタイムリーに表示される。
【図面の簡単な説明】
【００１３】
【図１】本発明の実施の形態に係る画像形成装置の構成図である。
【符号の説明】
【００１４】
１  パネル
２  コントローラ
３  エンジンユニット
４  給紙トレイ
５  バーコードリーダー
６  用紙
７  バーコード部
１０  画像形成装置
２０  ホスト
【図１】
2005169630.tif 000003